(57)【要約】      （修正有）【課題】簡易な構成で前面枠と遊技機本体の電気部品どうしを接続する配線の噛み込みを防ぐ遊技機を提供する。【解決手段】遊技機本体３に対して前面枠５がヒンジ部を中心に開閉可能に軸支された遊技機であって、前記遊技機本体３には、前記前面枠側に設けられる電気部品を配線接続する配線基板と、前記遊技機本体のヒンジ部側前面に設けられ前記前面枠５を閉じた状態で発生する配線の撓み分を収納する収納空間部２４と、が設けられ、前面枠５を遊技機本体３に閉じる際に、前面枠５の背面側に設けられた配線誘導部２６は配線の撓み分を遊技機本体３の前面に設けられた収納空間部２４へ誘導して収納する。【選択図】図３
2010253056.tif 000002
【特許請求の範囲】
【請求項１】
遊技機本体に対して前面枠がヒンジ部を中心に開閉可能に軸支された遊技機であって、
前記遊技機本体には、前記前面枠側に設けられる電気部品を配線接続する配線基板と、前記遊技機本体のヒンジ部側前面に設けられ前記前面枠を閉じた状態で発生する配線の撓み分を収納する収納空間部と、が設けられ、
前記前面枠の背面側には、前記遊技機本体へ閉じる際に前記配線を前記収納空間部に誘導しながら前記収納空間部に進入する配線誘導部が突設されていることを特徴とする遊技機。
【請求項２】
前記配線誘導部は前記前面枠のヒンジ部側に軸線方向に沿って設けられる請求項１記載の遊技機。
【請求項３】
前記配線誘導部の内側壁には前記配線を係止する第１係止部が設けられ、該配線が前記第１係止部に係止された状態で前記収納空間部へ誘導される請求項１又は２記載の遊技機。
【請求項４】
前記収納空間部の奥壁部には、前記配線を係止する第２係止部が設けられ、前記第１係止部と第２係止部の間に存在する配線が前記収納空間部へ誘導される請求項３記載の遊技機。
【請求項５】
前記配線誘導部の外壁面は、前面枠を遊技機本体へ閉じたときに前記収納空間部の側壁と当接又は近接して配置されている請求項１乃至４のいずれか１項記載の遊技機。
【請求項６】
前記配線基板は前記遊技機本体の背面側に設けられ、該遊技機本体には、配線が挿通する配線挿通部が形成されており、前記配線誘導部はヒンジ部側において前記配線挿通部と同等の高さ範囲に設けられている請求項５記載の遊技機。
【請求項７】
前記配線誘導部は、前記前面枠を遊技機本体へ閉じた状態で前記収納空間部の下方に進入して配線の撓み部を前記収納空間部へ押し込む押込み面を有する請求項１記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に軸支されている。
【０００３】
遊技機本体の前面側に設けられる電気部品、例えば前面枠には装飾部としてランプ、スイッチ、スピーカ等の演出部品や中継基板が組み付けられており、これらは遊技機本体側に設けられる配線基板、例えば中継基板や制御基板（主制御基板、払出制御基板、画像制御基板、発射制御基板等）と配線接続されている。
【０００４】
前面枠に設けられた電気部品は、遊技機本体側に設けられる配線基板と配線（配線束；ハーネス）により接続されるが、配線長を短くするため遊技機本体のヒンジ部側に設けられることが多い。
この配線が前面枠を開閉するときに遊技機本体との間で弛んで開閉動作の妨げになることから、配線束に予め遊技機本体側へ引き込む方向の張力を付与する張力付与部材（コイルばね）を設けた遊技機が提案されている（特許文献１参照）。
【先行技術文献】
【特許文献】
【０００５】
【特許文献１】特開２００４−８１５８０号公報
【発明の概要】
【発明が解決しようとする課題】
【０００６】
上述した特許文献１の遊技機においては、前面枠を遊技機本体から開放するときに、常時前面枠を閉じる方向に引っ張る力を受けながら配線接続作業やメンテナンス作業を行なう必要があり、作業性が悪い。また、張力付与部材として用いるコイルばねのばね定数の大きいものを使用すれば、配線の負荷が大きくなり、こじれや断線のおそれがあり、ばね定数の小さいものを使用すれば、ばねの伸びにより配線のたわみが解消されず、前面枠の開閉により配線の噛み込みが発生するおそれがある。
【０００７】
本発明の目的は、上記従来技術の課題を解決し、簡易な構成で前面枠と遊技機本体の電気部品どうしを接続する配線の噛み込みを防ぐ遊技機を提供することにある。
【課題を解決するための手段】
【０００８】
上記目的を達成するため、以下に述べる実施の形態に適用される手段は次の通りである。遊技機本体に対して前面枠がヒンジ部を中心に開閉可能に軸支された遊技機であって、前記遊技機本体には、前記前面枠側に設けられる電気部品を配線接続する配線基板と、前記遊技機本体のヒンジ部側前面に設けられ前記前面枠を閉じた状態で発生する配線の撓み分を収納する収納空間部と、が設けられ、前記前面枠の背面側には、前記遊技機本体へ閉じる際に前記配線を前記収納空間部に誘導しながら当該収納空間部に進入する配線誘導部が突設されていることを特徴とする。
尚、遊技機本体とは、遊技機前面を覆う窓部が形成された前面枠を除く部位、例えば外枠、内枠、遊技盤などを含む部位をいうものとする。
【０００９】
また、前記配線誘導部は前記前面枠のヒンジ部側に軸線方向に沿って設けられることを特徴とする。
【００１０】
また、前記配線誘導部の内側壁には前記配線を係止する第１係止部が設けられ、該配線が前記第１係止部に係止された状態で前記収納空間部へ誘導されることを特徴とする。
【００１１】
また、前記収納空間部の奥壁部には、前記配線を係止する第２係止部が設けられ、前記第１係止部と第２係止部の間に存在する配線が前記収納空間部へ誘導されることを特徴とする。
【００１２】
また、前記配線誘導部の外壁面は、前面枠を遊技機本体へ閉じたときに前記収納空間部の側壁と当接又は近接して配置されていることを特徴とする。
【００１３】
また、前記配線基板は前記遊技機本体の背面側に設けられ、該遊技機本体には、配線が挿通する配線挿通部が形成されており、前記配線誘導部はヒンジ部側において前記配線挿通部と同等の高さ範囲に設けられていることを特徴とする。
【００１４】
また、前記配線誘導部は、前記前面枠を遊技機本体へ閉じた状態で前記収納空間部の下方に進入して配線の撓み部を前記収納空間部へ押し込む押込み面を有することを特徴とする。
【発明の効果】
【００１５】
上述した遊技機を用いれば、前面枠を遊技機本体に閉じる際に配線誘導部は配線の撓み分を収納空間部へ誘導して収納するので、前面枠の開閉にともなって配線を噛み込む不具合は生じない。
【００１６】
また、配線誘導部は前面枠のヒンジ部側に軸線方向に沿って設けられるので、配線の長さを可及的に短くできるとともに、前面枠を閉じる際に生じる配線の撓み分を前面枠が開放した際に形成される前面枠と遊技機本体の縦方向の隙間に挟み込むことなく、収納空間部へ誘導し収納することができる。
【００１７】
また、第１係止部に係止された配線が係止された状態で収納空間部へ誘導されるので、前面枠を開閉するたびに、配線の撓み分が変化することがなく、確実に収容空間部に誘導し収納することができる。さらに、第１係止部で配線を係止することで、前面枠の開閉に伴う配線への負荷を軽減することができ、耐久性を向上させることができる。
【００１８】
また、収納空間部の奥壁面に第２係止部を設け、第１係止部と第２係止部の間に存在する配線を収納空間部へ誘導するようにしたので、前面枠を開閉するたびに、配線の撓み分が変化することがなく、より確実に収容空間部に誘導し収納することができる。
【００１９】
また、配線誘導部の外壁面は前面枠を遊技機本体へ閉じたときに収納空間部の側壁と当接又は近接して配置されていると、ヒンジ部側の遊技機本体と前面枠との隙間から異物を侵入させる不正行為を防ぐことができる。
【００２０】
また、配線誘導部がヒンジ部側において配線挿通部と同等の高さ範囲に設けられていると、配線誘導部により遊技機本体の前面側（遊技機本体と前面枠の隙間）から配線挿通部を介して遊技機本体の背面側に異物を侵入させる不正行為が行い難くなる。
【００２１】
また、前面枠を遊技機本体へ閉じた状態で収納空間部の下方に進入して配線の撓み部を収納空間部へ押し込む押込み面を有すると、前面枠を遊技機本体へ閉じる際に撓んだ配線が収納空間部の下方へ下がろうとしても押込み面が配線を収納空間部へ押し込むので、配線の噛み込みを防ぐことができる。
【図面の簡単な説明】
【００２２】
【図１】パチンコ機の正面図である。
【図２】パチンコ機の背面図である。
【図３】前面枠を遊技機本体から開放した要部の斜視図である。
【図４】前面枠を遊技機本体から開放した状態の要部正面図及び矢印Ａ−Ａ断面図である。
【図５】前面枠を遊技機本体に閉じた状態の要部正面図及び矢印Ａ−Ａ断面図である。
【図６】図５の矢印Ｂ−Ｂ断面図である。
【図７】前面枠の要部背面図である。
【図８】遊技機本体の要部正面図である。
【図９】前面枠を遊技機本体から開放した状態の要部の斜視図である。
【図１０】前面枠を遊技機本体に閉じた状態の要部の水平断面図である。
【発明を実施するための形態】
【００２３】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２４】
先ずパチンコ機１の概略構成について説明する。図１において、パチンコ機１の外形をなす矩形状の外枠２の側部に対して上下ヒンジ部（図示せず）により内枠３（図２参照）が開閉可能に取り付けられ、該内枠３の側部に対して上下ヒンジ部４ａ，４ｂにより前面枠（ガラス枠）５が開閉可能に取り付けられている。
【００２５】
内枠３の前面側には遊技盤６が組み付けられている。また遊技盤６の下方には遊技領域へ向かって遊技球を発射する球発射装置（図示せず）が組み付けられている。また、図１に示すように遊技盤６には、ガイドレール１１によって全体として円形の遊技領域が形成され、その遊技領域には図柄表示装置（液晶表示装置）８、電動チューリップ９，アタッカー１０などの入賞装置等が設けられている。
【００２６】
また、図１において、前面枠５の下方には貸球や賞球等の遊技球を一時的に貯留し、該遊技球を球発射装置へ誘導する球受け皿１２が組み付けられている。球受け皿１２の前面には貯留した遊技球を図示しないドル箱に排出させるためシャッターを開閉する球抜きレバー１２ａが設けられている。球受け皿１２の右側には、球発射装置によって遊技領域へ発射される遊技球の発射力を調節するための発射ハンドル１３が設けられている。
【００２７】
図２において、内枠３の背面側上部には貯留タンク１４が設けられ、貯留タンク１４にはパチンコ機１が配置されたホールの島から遊技球が供給される。内枠背面側は盤裏カバー１８に覆われており、その上下ヒンジ部４ａ，４ｂ側の側部には貯留タンク１４に接続する球通路１５や入賞等に応じて遊技球を球受け皿１２へ払い出す球払出装置１６が設けられている。また、盤裏カバー１８の下側には、内枠３の背面側に設けられる配線基板、例えば、画像処理基板や主制御基板、発射制御基板２０、払出制御基板２１等がケース体に各々収納されて組み付けられている。
【００２８】
次に、パチンコ機要部の構成について図３乃至図１０を参照して説明する。
図３において、前面枠５には、パチンコ機本体（内枠３）側に設けられる配線基板（制御基板等）に配線接続する電気部品（例えば中継基板２５の端子台２５ａ）が設けられている。
また、内枠３のヒンジ部側には、配線（ワイヤーハーネス；配線束）２２が挿通する配線挿通孔（配線挿通部）２３が前後方向に貫通して設けられている。また、内枠３のヒンジ部前面には、前面枠５を閉じた状態で発生する配線２２の撓み分を収納する収納空間部２４が設けられている。配線挿通孔２３は収納空間部２４と隣接して設けられているが、収納空間部２４の一部に形成されていてもよい。尚、配線挿通部は、貫通孔に限らず、切欠き、開口などであってもよい。
【００２９】
前面枠５の背面側には、パチンコ機本体（内枠３）へ閉じる際に配線２２を収納空間部２４に誘導しながら当該収納空間部２４に進入する第１配線誘導部２６が突設されている。具体的には、第１配線誘導部２６は前面枠５のヒンジ部側に軸線方向に沿って突設された突壁部である。第１配線誘導部２６は、前面枠５の閉鎖時に内枠３の側部と対向するように前面枠５の側部に沿う長尺の取付部が一体的に設けられている。つまり、第１配線誘導部２６はパチンコ機を平面視してＬ字状となるように取付部から突設されている。
【００３０】
第１配線誘導部２６は、図５（ａ）（ｂ）に示すように、前面枠５を内枠３へ閉じたときに外壁面２６ａが収納空間部２４の側壁２４ａと当接又は近接して配置されている（図５（ｂ）参照）。また第１配線誘導部２６の背面壁２６ｂと収納空間部２４の前面壁２４ｂとが当接若しくは近接しており、前面枠５と内枠３のヒンジ部側の隙間を塞ぐようになっている。これにより、前面枠５と内枠３の隙間から異物を侵入させる不正行為を防ぐことができる。
【００３１】
また、図８に示すように、第１配線誘導部２６はヒンジ部側において配線挿通孔２３と同等の高さ範囲に設けられている。よって、第１配線誘導部２６により内枠３の前面側（内枠３と前面枠５の隙間）から配線挿通部２３を介して内枠３の背面側に異物を侵入させる不正行為が行い難くなる。
【００３２】
また、図３及び図４（ａ）（ｂ）において、第１配線誘導部２６の内側壁２６ｃには前面枠５の電気部品（中継基板２５）と接続する配線２２を係止する第１係止フック（第１係止部）２７が設けられている。この第１係止フック２７が、前面枠５の電気部品（中継基板２５）と接続する配線２２を拘束し（図９参照）、該配線２２が第１係止フック２７に係止された状態で収納空間部２４に誘導される（図９参照）。このように、第１係止フック２７に係止された配線２２が係止された状態で収納空間部２４へ誘導されるので、前面枠５を開閉するたびに、配線２２の撓み分が変化することがなく、確実に収容空間部２４へ誘導し収納することができる。さらに、第１係止フック２７で配線２２を係止することで、前面枠５の開閉に伴う配線２２への負荷を軽減することができ、耐久性を向上させることができる。尚、第１係止フック２７はＬ型係止フックが用いられている（図７参照）が、結束バンド、結束リング等であってもよい。また、第１係止フック２７は第１配線誘導部２６の内側基部近傍の前面枠５に設けるようにしてもよい。
【００３３】
また、図４（ａ）（ｂ）において、収納空間部２４の奥壁面２４ｃには、第２係止リング（第２係止部）２８が設けられている。第２係止リング２８は、内枠３の背面側の配線基板（制御基板）と接続する配線２２を挿通係止する。第１係止フック２７と第２係止リング２８の間に存在する配線２２が収納空間部２４へ誘導されるようになっている。第１係止フック２７と第２係止リング２８で配線２２を係止することにより、第１係止フック２７と第２係止リング２８の間に存在する配線２２の長さが一定となり、第１配線誘導部２６で収納空間部２４へ誘導するので、前面枠５を開閉するたびに、配線２２の撓み分が変化することがなく、より確実に収容空間部２４に誘導し収納することができる。
【００３４】
第２係止リング２８は、収納空間部２４の奥壁面２４ｃに左右で高さ位置を変えて複数箇所に設けられている。これは、長さが異なる配線２２の撓み分どうしが重ならないように分散して挿通係止させて収納空間部２４の容積を有効活用できるようになっている（図１０参照）。尚、第２係止リング２８は結束リングが用いられている（図６参照）が、Ｌ字状フックや結束バンド等を用いてもよい。
【００３５】
また、図３において、前面枠５の背面側には、複数の板材を起立形状に設けられた第２配線誘導部２９が突設されている。第２配線受け部２９は、前面枠５を内枠３へ閉じた状態で収納空間部２４の下方に進入して配線２２の撓み部を受け止めつつ前方へ誘導する傾斜面２９ｂと、当該傾斜面２９ｂに連続する先端部に撓み部を収納空間部２４へ押し込む凹凸形状の押込み面２９ａが形成されている（図３，図６参照）。前面枠５を内枠３へ閉じる際に、撓みを生じた配線２２が収納空間部２４へ押し込まれて下方へ下がろうとしても第２配線誘導部２９の傾斜面２９ｂが受け止めながら収納空間部２４へ誘導し、撓み部を先端側の押込み面２９ａによって収納空間部２４へ押し込むので、配線２２の噛み込みを防ぐことができる。このとき、押し込み面２９ａが凹凸形状となっているため、配線２２がずれることなく確実に押し込むことができる。
【００３６】
ここで、前面枠５の内枠３に対する開閉動作と余剰配線２２の挙動の一例について図９及び図１０を参照して説明する。本実施形態では配線２２（ハーネス）の周囲には配線保護のための可撓性を有するスパイラルチューブ３０が巻き付けられている。スパイラルチューブ３０は、帯状の樹脂材を配線２２に螺旋状に巻き付けて取り付けられている。
【００３７】
図９は、前面枠５が内枠３から開放された状態を示す。前面枠５の中継基板２５の端子台２５ａにコネクタ２２ａが接続された配線２２が、第１係止フック２７に係止されて、第１配線誘導部２６の先端押し込み面２６ｄの周囲に沿って内枠３の収納空間部２４へ誘導されている。また、配線２２は収納空間部２４の奥壁面２４ｃに設けられた第２係止リング２８を通過して配線挿通孔２３へ誘導されて内枠背面側の配線基板（制御基板等）と接続されている。
配線２２は、前面枠５において第１係止フック２７で拘束され、内枠３において第２係止リング２８で各々拘束されるため、前面枠５の開放状態では、配線２２は伸びた状態にあるため収納空間部２４におけるたわみ量は少ない。
【００３８】
前面枠５を内枠３に閉じた状態にすると、配線２２が第１係止フック２７及び第２係止リング２９で拘束されたまま、ヒンジ部側において配線２２が第１配線誘導部２６の先端押込み面２６ｄによって収納空間部２４に誘導される。このとき、配線２２はジグザグ状に折り畳まれるように収納空間部２４へ誘導される。また、撓みが生じた配線２２は、下方へ下がろうとするが、前面枠５の背面側の第２配線誘導部２９も収納空間部２４の下方に進入するため、傾斜面２９ｂで受け止めつつ先端側の押込み面２９ａによって余剰配線２２が収納空間部２４に押し込まれるので、内枠３と前面枠５との間に配線２２が噛み込まれることはない。
【００３９】
上述した実施形態において、前面枠５の背面側に配線誘導部として第１配線誘導部２６、第２配線誘導部２９を設けたが、配線２２の撓み分を収納空間部２４へ誘導する形態であれば、実施の形態に限定されるものではない。例えば、第１，第２配線誘導部２６，２９のうちいずれか一方を省略することも可能であり、第１配線誘導部２６を複数設けることも可能である。
また、遊技機本体に設ける配線基板として、収納空間部２４にコネクタ部を備えた中継基板を配設してもよい。このように、中継基板を配設することによりコネクタ部が第２係止リング２８の代わりとなり、配線２２を前面枠５において第１係止フック２７で拘束することにより配線２２の撓み分を一定とすることができる。
【００４０】
また、遊技機の一例としてパチンコ機について説明したが、他の遊技機、例えば雀球遊技機やアレンジボール遊技機、スロットマシンなどに適用してもよい。
【符号の説明】
【００４１】
１  パチンコ機
２  外枠
３  内枠
４ａ  上ヒンジ部
４ｂ  下ヒンジ部
５  前面枠
５ａ  窓部  
６  遊技盤
８  図柄表示装置  
９  電動チューリップ  
１０  アタッカー  
１１  ガイドレール  
１２  球受け皿  
１２ａ  球抜きレバー  
１３  発射ハンドル  
１４  貯留タンク  
１６  球払出装置  
１８  盤裏カバー  
２０  発射制御基板（配線基板）  
２１  払出制御基板（配線基板）  
２２  配線
２２ａ  コネクタ
２３  配線挿通孔  
２４  収納空間部  
２４ａ  側壁  
２４ｂ  前面壁  
２５  中継基板  
２５ａ  端子台  
２６  第１配線誘導部  
２６ａ  外壁面  
２６ｂ  背面壁  
２６ｃ  内側壁  
２６ｄ  先端押込み面  
２７  第１係止フック  
２８  第２係止リング  
２９  第２配線誘導部  
２９ａ  押込み面
２９ｂ  傾斜面
３０  スパイラルチューブ
【図１】
2010253056.tif 000003
【図２】
2010253056.tif 000004
【図３】
2010253056.tif 000005
【図４】
2010253056.tif 000006
【図５】
2010253056.tif 000007
【図６】
2010253056.tif 000008
【図７】
2010253056.tif 000009
【図８】
2010253056.tif 000010
【図９】
2010253056.tif 000011
【図１０】
2010253056.tif 000012